(57)【要約】【課題】作業者がドラム缶を一人で安全に反転させられる小型で安価なドラム缶反転治具を提供することを課題としている。【解決手段】凸円弧状に彎曲した左右の側枠と、その側枠の一端に固定されたスタンドと、前記側枠に固定された天板受け部と、前記側枠の他端に固定した胴部受け部と、その胴部受け部から前記スタンドのある側とは反対側に延びださせたフック部を備えさせ、前記天板受け部をドラム缶の胴部上縁の内周に嵌る大きさと形状にし、前記胴部受け部をドラム缶の胴部下側の外周に沿って胴部を支えるようにし、前記フック部をドラム缶の胴部の下縁に係止させるようにした。【選択図】図１
2014231418.tif 000002
【特許請求の範囲】
【請求項１】
凸円弧状に彎曲した左右の側枠と、その側枠の一端に固定された治具支持用のスタンドと、このスタンドに近接して側枠に固定した天板受け部と、側枠の他端に固定された半円状の胴部受け部と、その胴部受け部から前記スタンドのある側とは反対側に延びださせたフック部を備えさせ、
前記天板受け部をドラム缶の胴部上縁の内周に適合して嵌る大きさと形状にし、前記胴部受け部をドラム缶の胴部下側の外周に沿って胴部を支えるように構成し、前記フック部をドラム缶の胴部の下縁に係止するように構成したドラム缶反転治具。
【請求項２】
前記天板受け部を、前記スタンドに対して前記側枠から離反した側の離反量が大となる方向に所定角度傾けた請求項１に記載のドラム缶反転治具。
【請求項３】
前記スタンドを平面視でＣ字状をなすものにし、このスタンドの周方向途中に前記側枠を接続し、その接続部からスタンドの両端が互いに接近する方向に延びださせた請求項１又は請求項２に記載のドラム缶反転治具。
【発明の詳細な説明】
【技術分野】
【０００１】
この発明は、作業者がドラム缶を一人で安全に反転させて缶内の油などの残液を全て取り出すことを可能にするドラム缶反転治具に関する。
【背景技術】
【０００２】
ドラム缶に入れた油などの液体は、全てを取り出して有効利用することが望まれる。しかしながら、残量が少なくなるとポンプによる汲み上げができなくなるため、ドラム缶を立てたままではどうしても缶内に液が残ってしまう。
【０００３】
そこで、ポンプによる汲み上げができなくなったら、ドラム缶を反転させ、下に移動した缶口から残液を流出させて他の容器に移すことがなされている。
【０００４】
その残液取り出しのためのドラム缶の反転、倒立は人力で行われるか又は専用の装置を用いて行われている。
【０００５】
専用の装置としては、下記特許文献１に示されるドラム缶反転機構付きの運搬車やリフト機能のある反転装置などが知られている。
【先行技術文献】
【特許文献】
【０００６】
【特許文献１】特開２０００−１９８４４８号公報
【発明の概要】
【発明が解決しようとする課題】
【０００７】
人力によるドラム缶の反転、倒立は作業者一人では難しく、危険も伴う。また、上記特許文献１に示された運搬車やリフト機能を有する専用のドラム缶反転装置は、高価でしかも嵩張り、その装置の保管場所なども多く必要とする。
【０００８】
ドラム缶を反転させての残液取り出しの頻度が小さいときにはこのような高価で保管面でも不利な専用の装置は好まれない。
【０００９】
そこで、この発明は、作業者がドラム缶を一人で安全に反転させられる小型かつ安価なドラム缶反転治具を提供することを課題としている。
【課題を解決するための手段】
【００１０】
上記の課題を解決策するため、この発明においては、以下のドラム缶反転治具を提供する。
【００１１】
そのドラム缶反転治具は、凸円弧状に彎曲した左右の側枠と、その側枠の一端に固定された治具支持用のスタンドと、このスタンドに近接して前記側枠に固定された天板受け部と、前記側枠の他端に固定した半円状の胴部受け部と、その胴部受け部から前記スタンドのある側とは反対側に延びださせたフック部を備えさせ、
前記天板受け部をドラム缶の胴部上縁の内周に適合して嵌る大きさと形状にし、前記胴部受け部をドラム缶の胴部下側の外周に沿って胴部を支えるように構成し、前記フック部をドラム缶の胴部の下縁に係止するように構成した。
【発明の効果】
【００１２】
この発明のドラム缶反転治具は、作業者が一人で安全にドラム缶を反転させることができ、構造が単純で小型かつ安価でもある。
【図面の簡単な説明】
【００１３】
【図１】この発明のドラム缶反転治具の一例を示す斜視図である。
【図２】図１のドラム缶反転治具の側面図である。
【図３】図１のドラム缶反転治具のドラム缶に対する装着開始状態を示す斜視図である。
【図４Ａ】図１のドラム缶反転治具をドラム缶に装着した状態を示す側面図である。
【図４Ｂ】図１のドラム缶反転治具をドラム缶と一緒に反転させている途中の状態を示す側面図である。
【図４Ｃ】図１のドラム缶反転治具をドラム缶と一緒に反転し終えた状態を示す側面図である。
【発明を実施するための形態】
【００１４】
以下、この発明のドラム缶反転治具の実施の形態を添付図面の図１〜図４に基づいて説明する。
【００１５】
図１に示したドラム缶反転治具１は、凸円弧状に彎曲した左右の側枠２，２と、その側枠と一体のスタンド３及び天板受け部４と、側枠２の他端に連設された半円状の胴部受け部５と、その胴部受け部５に固体されたフック部６を備えている。
【００１６】
左右の側枠２，２は、所定の間隔を保って横並びの状態に配置されており、スタンド３と天板受け部４と胴部受け部５を介して互いに連結されている。
【００１７】
スタンド３は、倒立状態の治具１を支えるものであって、そのスタンド３に左右の側枠２，２の一端が接続されている。
【００１８】
このスタンド３は、平面視形状を円形にしたものや、側枠２の延長部で構成されるもの、即ち、一連の棒材を中間に曲げ戻し部ができるように曲げ加工し、曲げ戻し部を除く部分で左右の側枠２を形成し、その左右の側枠２の延長領域である前記曲げ戻し部をスタンド３となしたものなども考えられる。
【００１９】
ただし、図１に示すように平面視形状がＣ字状をなすものにし、自由端である両端ｅ付近から少し離れた位置に側枠２を接続してその接続点から両端を互いに近づく方向に延び出させたものが好ましい。その理由は後述する。
【００２０】
天板受け部４は、側枠２に固定したリング状の枠であって、スタンド３に近接して設けられている。この天板受け部４は、起立したドラム缶Ｄ（図３参照）の胴部上縁（缶口Ｍのある側の縁）の内側に嵌められる。
【００２１】
この天板受け部４の側枠２に対する固定は、連結ロッド７と補強リブ８を介して行われているが、図示の構造に限定されない。
【００２２】
この天板受け部４は、図２に示すように、スタンド３に対して側枠２から離反した側の離反量が大となる方向に所定角度θ傾けると好ましい。その理由も後述する。
【００２３】
胴部受け部５は、起立したドラム缶Ｄの胴部の下側外周に沿わせる枠であって、この胴部受け部で倒立途中と倒立後のドラム缶の外周を支える。
【００２４】
フック部６は、胴部受け部５の中央部からスタンド３のある側とは反対側に延びださせた係止具であり、天板受け部４をドラム缶Ｄの胴部上縁の内側に嵌めた状態下でこのフック部６を起立したドラム缶Ｄの胴部下縁に係止させる。
【００２５】
天板受け部４は、図１に示すように、数本の補助ロッド９を介してスタンド３にも連結しておくと安定した強度が得られて好ましい。
【００２６】
このように構成した例示のドラム缶反転治具１は、側枠２を接地させて全体を揺動させることができる。この治具１を起立したドラム缶に装着してドラム缶と一緒に倒し、側枠の接地点がその側枠の他端側から一端側に移るように全体を転がすと治具とドラム缶が倒立する。
【００２７】
この作業は、側枠が点接触に近い状態で接地して転がり易い形状になっているため大きな力を要せずに行うことができ、これにより一人での作業が可能になり、作業の安全性も高まる。また、治具は構造が簡素で嵩張らず、小型化とコスト低減も可能になる。
【００２８】
このドラム缶反転治具１の使用法をさらに詳しく述べる。先ず、図４Ａに示すように残液を取り出そうとするドラム缶に装着する。
【００２９】
図３に示すように、スタンド３が上になる姿勢にし、この状態で図４Ａに示すように、起立したドラム缶Ｄの胴部上縁の内側に天板受け部４を嵌め、さらに、ドラム缶Ｄの下縁をドラム缶が載置される面から少し浮かせてその下縁にフック部６を係止させ、胴部受け部５をドラム缶Ｄの胴部の下側外周に抱きつくように沿わせる。
【００３０】
このようにしてドラム缶Ｄに対する装着を終えたら、図４Ｂに示すように、ドラム缶反転治具１を側枠２が下になる向きにしてドラム缶Ｄと一緒に倒す。その後、接地した側枠２を転がしながら治具１とドラム缶Ｄを倒立させる。
【００３１】
側枠２の転がりが進行すると一時的にスタンド３の外端による支持がなされ、その後にスタンド３が図４Ｃのように接地し、そのスタンド３の全体による支持がなされて倒立状態が保持される。
【００３２】
この状態で、載置面から浮き上がったドラム缶の下方に受け皿Ｔを挿入し、図３に示した缶口Ｍを開ける。これにより、缶内の残液を残らず取り出すことができる。
【００３３】
かかるドラム缶反転治具１は、簡素で従来の専用の反転装置に比べるとサイズも小さく、安価に作れて保管スペースも僅かで済む。
【００３４】
また、スタンド３を平面視形状がＣ字状をなすものにし、そのスタンド３の両端を側枠２の接続点から互いに近づく方向に突出させた例示のドラム缶反転治具１は、スタンド３による支持の開始がスタンド３の間隔のあいた両端によってなされる。
【００３５】
そのために、スタンド３が円形スタンドである場合に懸念される横への転がり、即ち、倒立のための転がり方向と交差した左右方向への転がりが起こり難く、作業の容易性と安全性に優れる。
【００３６】
また、スタンド３の両端が切り離されているため、両端間のスペースを利用して受け皿Ｔの出し入れを行うこともできる。
【００３７】
さらに、側枠２の接続点から延び出したスタンド３の両端が図４Ｃの状態において治具を倒れ難くし、このために、スタンド３が側枠２の延長部で構成されるものに比べて倒立時の自立安定性に優れる。
【００３８】
このほか、天板受け部４を例示の治具のようにスタンド３に対して所定角度θ傾けたものは、ドラム缶内の残液が自然に缶口に集まり、残液の取出しが簡単になる。
【００３９】
この天板受け部４の傾斜角θは、治具の倒立状態の安定維持と、ドラム缶内残液の缶口へのスムーズな流れを考えると、５°〜３０°前後、より好ましくは１５°程度が好ましい。
【符号の説明】
【００４０】
１          ドラム反転治具
２          側枠
３          スタンド
４          天板受け部
５          胴部受け部
６          フック部
７          連結ロッド
８          補強リブ
９          補助ロッド
Ｄ          ドラム缶
Ｍ          缶口
Ｔ          受け皿
【図１】
2014231418.tif 000003
【図２】
2014231418.tif 000004
【図３】
2014231418.tif 000005
【図４Ａ】
2014231418.tif 000006
【図４Ｂ】
2014231418.tif 000007
【図４Ｃ】
2014231418.tif 000008